(57)【要約】【課題】従来の調理用返しヘラは、柄の先にヘラ部を斜め上前向きに設けてあり、玉子巻きや出し巻きの調理には不向きである。本発明は主に、玉子巻きや出し巻きを容易に巻けるように工夫した調理用返しヘラであって、炒飯や炒め物の調理にも利用できる調理用返しヘラを構成する。【解決手段】ヘラ先端から縦方向の長さが４ｃｍ前後の位置にヘラ部上面を内方にして略への字状屈曲を設けたヘラ部と、ヘラ部の縦方向の長さを４ｃｍ前後に設けたヘラ部であって、前記各ヘラ部を下向きにしたヘラ部の上面を内方にしてヘラ頭部に柄を設け、又は前記屈曲を設けたヘラ部の上面から見てヘラ頭部の右又は左側の略横幅方向の斜め上向きに柄を設けた調理用返しヘラを構成する。【選択図】    図３
2006006904.tif 000002
【特許請求の範囲】
【請求項１】
下向きにしたヘラ部の上面を内方にしてヘラ頭部に柄を設けて構成された調理用返しヘラ。
【請求項２】
下向きにしたヘラ部の上面を内方にしてヘラ頭部に柄を設け、該ヘラ部の縦方向の長さを４ｃｍ前後に設けて構成された請求項１記載の調理用返しヘラ。
【請求項３】
ヘラ部の先端からヘラの縦方向の４ｃｍ前後の位置に、該ヘラ部の上面の内方へ略への字状の屈曲を設け、下向きにした該ヘラ部の上面を内方にしてヘラ頭部に柄を設けた構成の請求項１又は２記載の調理用返しヘラ。
【請求項４】
ヘラ部の上面から見てヘラ頭部の右又は左の略横幅方向の、斜め上向きに柄を設けた構成の請求項１又は２．３記載の調理用返しヘラ。
【請求項５】
ヘラ先の両端に曲面を設けて構成されている請求項１又は２．３．４記載の調理用返しヘラ。
【請求項６】
柄とヘラ部が金属製である請求項１又は２．３．４．５記載の調理用返しヘラ。
【発明の詳細な説明】
【技術分野】
【０００１】この発明は調理用返しヘラに関する物である。
【背景技術】
【０００２】現在市販されている調理用返しヘラは、一様に、直線状の柄の先にヘラ部を斜め上前向きに設けたもので、フライパンやホットプレート等で焼き物の両面を焼くために返すことが主な目的で、玉子焼きで玉子巻きや出し巻きを作るのには不向きであり、普通は箸を使うが慣れないとなかなか難しい。
又、炒飯や炒め物を作るときは、一般に木ベラやしゃもじ等を用いている。
【発明の開示】
【発明が解決しょうとする課題】
【０００３】本発明は、調理用返しヘラを、主に玉子焼きで玉子巻きや出し巻き等を容易に作れるように、又フライパンや中華鍋等で炒飯や炒め物等を調理し易いように工夫したものであ。
【課題を解決するための手段】
【０００４】ヘラの先端から縦方向の長さが４ｃｍ前後の位置に、ヘラ部上面を内方にして略への字状の屈曲を設けたヘラ部と、ヘラ部の縦方向の長さが４ｃｍ前後であるヘラ部であって、前記各ヘラ部を下向きにして、該ヘラ部の上面を内方にしてヘラ頭部に柄を設けた調理用返しヘラを構成し、又は、前記各ヘラ部の上面から見て、ヘラ頭部の右又は左側の略横幅方向の斜め上向きに柄を設け、該ヘラ先の両端に角を有するもの、又は曲面を有している調理用返しヘラを構成する。
【発明の効果】
【０００５】本発明の調理用返しヘラは、玉子巻きや出し巻きを作るとき、ヘラ先を下向きに設けているので、玉子焼き皿部上面と程よく焼けた溶き玉子との間に、調理用返しヘラの柄を手前方又は横方に持ってヘラ先を容易に差し込み易く、程よく焼けた溶き玉子を返すときも調理用返しヘラのヘラ先を僅かに手前方へ傾けるだけで簡単に返すことができ、玉子巻きや出し巻きを容易に巻ける。
又、フライパンや中華なべで炒飯や炒め物を作るときも調理用返しヘラの柄を手前方又は横方に持ちヘラ先を下向きにできるので、調理用返しヘラを扱いやすく調理もしやすい。
【発明を実施するための最良の形態】
【０００６】図１．２，３．４．５．６．７．８．９．１０．１１．１２は主に玉子巻きや出し巻きを作りやすくした調理用返しヘラの発明であって、図１の側面図に於いてヘラの先端から縦方向の長さが、４ｃｍ前後の位置に、前記ヘラ部上面４の内方へ略への字状の屈曲５を設け、ヘラ部の上面４を内方にしてヘラの頭部の上下方向に９０°〜１１０°前後の角度を持って柄２を取り付けた構成の調理用返しヘラ１でヘラの先端の両側に角６を有し、前記ヘラ部の屈曲する位置は、玉子焼きの前方の上部が外方へ開拡し底部から上部にかけて傾斜する端壁１４の高さ方向の長さにほぼ等しい。【０００７】図７．８．９はヘラ部の縦方向の長さが４ｃｍ前後でヘラ先端の両端に角６ａを有しヘラ部上面を内方にしてヘラ頭部の上下方向に９０°〜１００°前後の角度を有して柄を設けた調理用返しヘラ１ａで、ヘラ部の縦方向の長さは前記の傾斜する端壁１４の長さにほぼ等しい。
図１０、１１．１２は柄２ｂを、ヘラの上面４ｂから見てヘラ頭部の右又は左側の略横幅方向の斜め上向に柄を設けた調理用返しヘラ１ｂで柄を横方に持って前記と同様に玉子巻きや出し巻きを容易に巻ける。
前記の調理用返しヘラ１，１ａの角６，６ａは玉子焼きの４方の縁にヘラ先端が確実に接し玉子巻きや出し巻きを巻きやすくするためである。
図１３．１４．１５は前記の図１０、１１．１２同様に柄２ｂを横方斜め上向きに設けているのでフライパンや中華鍋で調理用返しヘラを扱いやすく又、ヘラの先端の両端に曲面８を有するので、図１５に於いてヘラの先端がフライパンや中華鍋の周壁に接して沿い易く炒飯や炒め物を調理し易い。
図１．１ａの調理用返しヘラのヘラ先端の両端の角を取って曲面を設け、前記の中華鍋やフライパンを用いて炒飯や炒め物の調理用とすることもできる。【０００８】図１，２の調理用返しヘラ１を用いて玉子巻き１５．１５ａを作るときの説明をすると、図３において、程よく焼けた溶き玉子１６と焼き皿部上面１３との間に略への字状５に屈曲したヘラの先端３を差し込むとヘラ部先端は程よく焼けた溶き玉子１６と焼き皿部上面１３との間に水平に近い状態まで容易に差し込まれ、図４に於いて柄を少し下げるとヘラ先は僅かに手前へ傾き程よく焼けた溶き玉子１５を容易に返すことができ、同じ要領で玉子を返して巻いていき、玉子巻きが玉子焼きの手前縁まできて更に重ね巻きして大きくしたいときは、ヘラの背部７で玉子巻１５ａを玉子焼きの前方縁まで押し，溶き玉子１６ａを敷き、図６に於いて柄２を握りなおしヘラ先端３を前方に向け玉子巻き１５ａをヘラ先端で浮かし敷いてある溶き玉子１６ａを流し込み前記と同じ要領で巻いていき望みの大きさになったら玉子焼きの前方、又は手前の端壁に玉子巻きを調理用返しヘラの背部７又は上面４で押し当てて玉子巻きを形良く仕上げられる。
【産業上の利用用可能性】
【０００９】主に、玉子焼きで、玉子巻きや出し巻きを作るための調理用返しヘラで、フライパンや中華なべを用いて炒飯や炒め物の調理もできる。
【図面の簡単な説明】
【０００１０】
【図１】ヘラ上面４を内方に略への字状屈曲５を設けた調理用返しヘラ１の側面図。
【図２】図１を柄後部より見た正面図。
【図３】調理用返しヘラ１を用い玉子焼きの焼き皿部上面１３と程よく焼けた溶き玉子１６との間にヘラ先端３を差し込んだ説明図。
【図４】調理用返しヘラ１を用い玉子巻きを巻き始めたときの説明図
【図５】調理用返しヘラ１を用い玉子焼きで玉子巻きや出し巻きを手前の縁まで巻きヘラの背部７で前方縁まで押したときの説明図。
【図６】調理用返しヘラ１の柄２を持ち変えヘラ先端を前向きにして溶き玉子１６ａを敷き，玉子巻き１５ａをさらに重ね巻きするときの説明図
【図７】ヘラの縦方向の長さが４ｃｍ前後の調理用返しヘラ１ａの側面図。
【図８】図７を柄２ａの後部より見た正面図
【図９】調理用返しヘラ１ａを用い玉子焼きの焼き皿部上面１３と程よく焼けた溶き玉子１６ｂとの間にヘラの先端３ａを差し込んだときの説明図。
【図１０】柄を横方向斜め上向きに設けた調理用返しヘラ１ｂを柄後部より見た側面図。
【図１１】図１０の調理用返しヘラ１ｂの正面図。
【図１２】調理用返しヘラの先端３ｂを焼き皿部上面１３と程よく焼けた溶き玉子１６ｃとの間に差し込んだ説明図。
【図１３】ヘラの両端に曲面８を設けた調理用返しヘラ１ｃの側面図。
【図１４】図１３の調理用返しヘラ１ｃの正面図。
【図１５】調理用返しヘラ１ｃを用いフライパンや中華鍋で調理するときの説明図
【符号の説明】
【０００９】１．１ａ．１ｂ．１ｃ      調理用返しヘラ
２．２ａ．２ｂ            柄
３．３ａ．３ｂ．３ｃ      ヘラの先端
４．４ａ．４ｂ            ヘラ部上面
５  ５ａ．５ｂ            略への字状屈曲
６．６ａ．６ｂ            ヘラ両端の角
７．７ａ．７ｂ            ヘラの背部
８                        ヘラ両端の曲面
９                        フライパン
１０                      フライパンの周壁
１１                      玉子焼き
１２                      玉子焼き手前端壁
１３                      焼き皿部上面
１４                      玉子焼き前部端壁
１５．１５ａ              玉子巻き
１６．１６ａ．１６ｂ．１６ｃ溶き玉子
１７                        コンロ
【図１】
2006006904.tif 000003
【図２】
2006006904.tif 000004
【図３】
2006006904.tif 000005
【図４】
2006006904.tif 000006
【図５】
2006006904.tif 000007
【図６】
2006006904.tif 000008
【図７】
2006006904.tif 000009
【図８】
2006006904.tif 000010
【図９】
2006006904.tif 000011
【図１０】
2006006904.tif 000012
【図１１】
2006006904.tif 000013
【図１２】
2006006904.tif 000014
【図１３】
2006006904.tif 000015
【図１４】
2006006904.tif 000016
【図１５】
2006006904.tif 000017